(57)【要約】【課題】追加のディスプレイメモリを一切使用しないディスプレイ用画面層【解決手段】追加のディスプレイメモリを一切使用せずに表示用ピクチャーフレームを提供する。ディスプレイコントローラ出力と表示装置との間にマルチプレクサを配置する。マルチプレクサを制御するのに用いる１２のプログラム可能な値がある。これら１２個のパラメータはディスプレイコントローラのレジスタに保持される。これらのレジスタにパラメータをロードすることにより任意の大きさのピクチャーフレームをＬＣＤパネルに配置することが可能になる。任意の表示要求を満足すために、ピクチャーフレームの色や属性を修正することができる。【選択図】    図４
2004318138.tif 000002
【特許請求の範囲】
【請求項１】
追加のディスプレイメモリを一切使用せずに表示用ピクチャーフレーム層を作成する方法で、
ディスプレイコントローラの画素出力バスにマルチプレクサを配置し、前記マルチプレクサにピクチャーフレームカラーデータと画素データを入力するステップと、
所望のピクチャーフレームの境界を記述するピクチャーフレーム位置パラメータを定義するステップと、
前記所望のピクチャーフレームの表示を制御するピクチャーフレームカラー制御パラメータを定義するステップと、
前記ピクチャーフレーム位置パラメータがロードされる記憶レジスタを配置するステップと、
前記ピクチャーフレームカラー制御パラメータがロードされる記憶レジスタを配置するステップと、
前記記憶レジスタに保持された前記ピクチャーフレーム位置パラメータをディスプレイメモリのリフレッシュアドレスと比較するステップと、
前記ピクチャーフレーム位置パラメータが前記ディスプレイメモリのリフレッシュアドレスと一致すると前記マルチプレクサからピクチャーフレームカラーデータを選択するステップと、
前記記憶レジスタに保持されたピクチャーフレームカラー制御パラメータ値に応じて前記選択を修正するステップとを有することを特徴とする表示用ピクチャーフレーム層を作成する方法。
【請求項２】
前記マルチプレクサの複数の入力の一つを前記マルチプレクサの出力として選択するステップをさらに有し、前記複数の入力は画素データと、ピクチャーフレームバックグラウンドカラーデータと、ピクチャーフレームボーダーカラーデータと、ピクチャーフレームカラーデータとを含むことを特徴とする請求項１記載の表示用ピクチャーフレーム層を作成する方法。
【請求項３】
前記記憶レジスタ内の前記ピクチャーフレーム位置パラメータを前記ディスプレイメモリのリフレッシュアドレスと比較する前記ステップで生成された前記画素データセレクトビットを用いて前記マルチプレクサの前記選択を制御するステップをさらに有することを特徴とする請求項１記載の表示用ピクチャーフレーム層を作成する方法。
【請求項４】
前記ピクチャーフレームカラー制御パラメータ値に従って、前記ピクチャーフレームの外側に、前記ピクチャーフレームバックグラウンドカラーデータを表示するか画素データを表示するかを選択するステップをさらに有することを特徴とする請求項２記載の表示用ピクチャーフレーム層を作成する方法。
【請求項５】
前記ピクチャーフレームカラー制御パラメータは、ピクチャーフレームの外側に前記ピクチャーフレームバックグラウンドカラーデータを表示するか前記画素データを表示するかを決める透過バックグラウンドカラー制御ビットを有することを特徴とする請求項４記載の表示用ピクチャーフレーム層を作成する方法。
【請求項６】
前記ピクチャーフレームカラー制御パラメータ値に従って、前記ピクチャーフレームの内側に、前記ピクチャーフレームバックグラウンドカラーデータを表示するか画素データを表示するかを選択するステップをさらに有することを特徴とする請求項２記載の表示用ピクチャーフレーム層を作成する方法。
【請求項７】
前記ピクチャーフレームカラー制御パラメータは、前記ピクチャーフレーム内に、前記ピクチャーフレームバックグラウンドカラーデータが表示されるかそれとも前記画素データが表示されるかを決めるPicfillカラー制御ビットを有することを特徴とする請求項６記載の表示用ピクチャーフレーム層を作成する方法。
【請求項８】
前記ピクチャーフレームカラー制御パラメータ値に従って、前記ピクチャーフレームに前記ピクチャーフレームカラーデータを表示するか画素データを表示するかを選択するステップをさらに有することを特徴とする請求項２記載の表示用ピクチャーフレーム層を作成する方法。
【請求項９】
前記ピクチャーフレームカラー制御パラメータは、前記ピクチャーフレームに、前記ピクチャーフレームカラーデータを表示するか前記画素データを表示するかを決める透過フレームカラー制御ビットを含むことを特徴とする請求項８記載の表示用ピクチャーフレーム層を作成する方法。
【請求項１０】
前記ピクチャーフレーム位置パラメータは、予め定められた起点に対して前記ピクチャーフレームの左側の一番外側のエッジ境界を描く水平スタートアドレス＃１を含むことを特徴とする請求項１記載の表示用ピクチャーフレーム層を作成する方法。
【請求項１１】
前記ピクチャーフレーム位置パラメータは、予め定められた起点に対して前記ピクチャーフレームの左側の一番内側のエッジ境界を描く水平スタートアドレス＃２を含むことを特徴とする請求項１０記載の表示用ピクチャーフレーム層を作成する方法。
【請求項１２】
前記ピクチャーフレーム位置パラメータは、予め定められた起点に対して前記ピクチャーフレームの右側の一番内側のエッジ境界を描く水平エンドアドレス＃１を含むことを特徴とする請求項１０記載の表示用ピクチャーフレーム層を作成する方法。
【請求項１３】
前記ピクチャーフレーム位置パラメータは、予め定められた起点に対して前記ピクチャーフレームの右側の一番外側のエッジ境界を描く水平エンドアドレス＃２を含むことを特徴とする請求項１２記載の表示用ピクチャーフレーム層を作成する方法。
【請求項１４】
前記ピクチャーフレーム位置パラメータは、予め定められた起点に対して前記ピクチャーフレームの上側の一番外側のエッジ境界を描く垂直スタートアドレス＃１を含むことを特徴とする請求項１記載の表示用ピクチャーフレーム層を作成する方法。
【請求項１５】
前記ピクチャーフレーム位置パラメータは、予め定められた起点に対して前記ピクチャーフレームの上側の一番内側のエッジ境界を描く垂直スタートアドレス＃２を含むことを特徴とする請求項１４記載の表示用ピクチャーフレーム層を作成する方法。
【請求項１６】
前記ピクチャーフレーム位置パラメータは、予め定められた起点に対して前記ピクチャーフレームの下側の一番内側のエッジ境界を描く垂直エンドアドレス＃１を含むことを特徴とする請求項１４記載の表示用ピクチャーフレーム層を作成する方法。
【請求項１７】
前記ピクチャーフレーム位置パラメータは、予め定められた起点に対して前記ピクチャーフレームの下側の一番外側のエッジ境界を描く垂直エンドアドレス＃２を含むことを特徴とする請求項１６記載の表示用ピクチャーフレーム層を作成する方法。
【請求項１８】
前記ピクチャーフレーム位置パラメータは、予め定められた起点からの任意の画素の垂直位置を定義する垂直カウントを含むことを特徴とする請求項１記載の表示用ピクチャーフレーム層を作成する方法。
【請求項１９】
前記ピクチャーフレーム位置パラメータは、予め定められた起点からの任意の画素の水平位置を定義する水平カウントを含むことを特徴とする請求項１記載の表示用ピクチャーフレーム層を作成する方法。
【請求項２０】
前記ピクチャーフレーム位置パラメータは、予め定められた起点からのディスプレイの垂直方向の最大寸法を定義する垂直合計を含むことを特徴とする請求項１記載の表示用ピクチャーフレーム層を作成する方法。
【請求項２１】
前記ピクチャーフレーム位置パラメータは、予め定められた起点からのディスプレイの水平方向の最大寸法を定義する水平合計を含むことを特徴とする請求項１記載の表示用ピクチャーフレーム層を作成する方法。
【請求項２２】
追加のディスプレイメモリを使用せずに表示用ピクチャーフレーム層を作成するためのデバイスであって、
マルチプレクサがディスプレイコントローラの画素出力バスに配置され、前記マルチプレクサは入力としてピクチャーフレームカラーデータと画素データを有し、
ピクチャーフレーム位置パラメータを保持する第１記憶レジスタを有し、
ピクチャーフレームカラー制御パラメータを保持する第２記憶レジスタを有し、
前記第１記憶レジスタ内の前記ピクチャーフレーム位置パラメータとディスプレイメモリのリフレッシュアドレスとを比較し、マルチプレクサ選択信号を出力する比較／制御ロジックを有し、
前記マルチプレクサは、前記ピクチャーフレーム位置パラメータが前記ディスプレイメモリのリフレッシュアドレスと一致している場合は、ピクチャーフレームカラーデータを選択するように前記比較／制御ロジックのマルチプレクサ選択信号に応答し、
前記比較／制御ロジックは、前記マルチプレクサ選択信号を修正するために前記第２記憶レジスタに保持されている前記ピクチャーフレームカラー制御パラメータに応答することを特徴とするピクチャーフレーム層を作成するデバイス。
【請求項２３】
前記マルチプレクサは、画素データと、ピクチャーフレームバックグラウンドカラーデータと、ピクチャーフレームボーダーカラーデータと、ピクチャーフレームカラーデータとを含む複数の選択可能な入力を備えることを特徴とする請求項２２記載のピクチャーフレーム層を作成するデバイス。
【請求項２４】
前記ピクチャーフレームカラー制御パラメータは、前記ピクチャーフレームの外に、前記ピクチャーフレームバックグラウンドカラーデータを表示するか前記画素データを表示するかを決める透過バックグラウンドカラー制御ビットを含むことを特徴とする請求項２３記載のピクチャーフレーム層を作成するデバイス。
【請求項２５】
前記ピクチャーフレームカラー制御パラメータは、前記ピクチャーフレームの内側に、前記ピクチャーフレームバックグラウンドカラーデータを表示するか前記画素データを表示するかを決めるPicfill制御ビットを含むことを特徴とする請求項２３記載のピクチャーフレーム層を作成するデバイス。
【請求項２６】
前記ピクチャーフレームカラー制御パラメータは、ピクチャーフレームに前記ピクチャーフレームカラーデータを表示するか前記画素データを表示するかを決める透過フレームカラー制御ビットを含むことを特徴とする請求項２３記載のピクチャーフレーム層を作成するデバイス。
【発明の詳細な説明】
【技術分野】
【０００１】
本発明は、追加のディスプレイメモリを一切使用しないで表示用のピクチャーフレームを作成する方法に関する。
【０００２】
より具体的には、ディスプレイコントローラ出力と表示装置との間にマルチプレクサを挿入することによって表示用ピクチャーフレームを提供する。
【背景技術】
【０００３】
図１に先行技術のブロック図を示す。液晶ディスプレイコントローラ１１０は画素データ１２０を出力として有する。一般に、ＬＣＤコントローラは、レジスタにロードされるディスプレイコントローラ命令やディスプレイパラメータ情報を提供するアドレスやデータバス入力を有する。これらのディスプレイパラメータによってＬＣＤ表示装置の様々なの態様が制御される。
【０００４】
米国特許5,850,216（Kwon）”Driver Circuit for Thin Film Transistor-Liquid Crystal Display”（薄膜トランジスタ液晶ディスプレイ用ドライバ回路）は、薄膜トランジスタによる駆動回路を説明している。スキャン方向に対応するカウント信号をリプルカウンタから選択するのにマルチプレクサを使用している。
【０００５】
米国特許5,621,433（Acksteiner）”Low-Cost Multichannel Oscilloscope for Teaching and Demonstration Purposes”（授業及び実演用低コストマルチチャネルオシロスコープ）は、マルチチャネルオシロスコープを説明している。ＬＣＤパネルに表示するために複数のチャネルからデータを受信するのにマルチプレクサを使用している。
【０００６】
【特許文献１】米国特許発明第5,850,216号明細書
【特許文献２】米国特許発明第5,621,433号明細書
【発明の開示】
【発明が解決しようとする課題】
【０００７】
本発明の目的は、追加メモリを一切使用せずに表示用のピクチャーフレームを表示する方法を提供することである。
【０００８】
本発明の更なる目的は、ディスプレイコントローラ出力と表示装置との間にマルチプレクサを挿入することによって表示用ピクチャーフレームを提供することである。
【課題を解決するための手段】
【０００９】
本発明の目的は、以下のステップに基づいて、追加のディスプレイメモリを一切使用せずに表示用ピクチャーフレーム層を作成する方法を実現することにある。この方法は、ディスプレイコントローラの画素出力バスにマルチプレクサを配置し、このマルチプレクサにピクチャーフレームカラーデータ及び画素データを入力する。ピクチャーフレーム位置パラメータを定義して、所望のピクチャーフレームの境界を記述する。この所望のピクチャーフレームの表示を制御するピクチャーフレームカラー制御パラメータを定義する。前記ピクチャーフレーム位置パラメータがロードされる記憶レジスタを設ける。前記ピクチャーフレームカラー制御パラメータがロードされる記憶レジスタを設ける。前記記憶レジスタ内の前記ピクチャーフレーム位置パラメータをディスプレイメモリのリフレッシュアドレスと比較し、前記ピクチャーフレーム位置パラメータが前記ディスプレイメモリのリフレッシュアドレスと一致すると前記マルチプレクサからピクチャーフレームカラーデータを選択する。前記記憶レジスタに保持されているピクチャーフレームカラー制御パラメータの値に従って前記選択を修正する。
【００１０】
本発明の目的は、追加のディスプレイメモリを一切使用せずに表示するピクチャーフレーム層を作成するためのデバイスによっても達成される。このデバイスは、ピクチャーフレームカラーデータと画素データを入力として有するマルチプレクサをディスプレイコントローラの画素出力バスに備え、このデバイスはさらに、ピクチャーフレーム位置パラメータを保持する第１の記憶レジスタと、ピクチャーフレームカラー制御パラメータを保持する第２の記憶レジスタと、前記第１の記憶レジスタの前記ピクチャーフレーム位置パラメータをディスプレイメモリのリフレッシュアドレスと比較すると共にマルチプレクサセレクト信号を出力する比較／制御ロジックとを備え、前記マルチプレクサは前記ピクチャーフレーム位置パラメータが前記ディスプレイメモリのリフレッシュアドレスと一致するとピクチャーフレームカラーデータを選択するために前記比較／制御ロジックに応答し、前記比較／制御ロジックは前記マルチプレクサセレクト信号を修正するために前記第２の記憶レジスタに保持された前記ピクチャーフレームカラー制御パラメータ値に応答する。マルチプレクサは、画素データ、ピクチャーフレームバックグラウンドカラーデータ、ピクチャーフレームボーダーカラーデータ、及びピクチャーフレームカラーデータを含む複数の選択可能な入力を有する。ピクチャーフレームカラー制御パラメータは、ピクチャーフレームの外側に前記ピクチャーフレームバックグラウンドカラーデータを表示するか前記画素データを表示するかを判定する透過バックグラウンドカラー制御ビットと、ピクチャーフレーム内に前記ピクチャーフレームバックグラウンドカラーデータを表示するか前記画素データを表示するかを判定するPicfillカラー制御ビットと、ピクチャーフレームとして前記ピクチャーフレームカラーデータを表示するか前記画素データを表示するかを判定する透過フレームカラー制御ビットとを含む。
【発明を実施するための最良の形態】
【００１１】
以下、本発明の実施形態を図面に基づいて説明する。
【実施例１】
【００１２】
図２は、本発明の液晶ディスプレイ（ＬＣＤ）コントローラ２１０におけるビデオマルチプレクサ２８０のブロック図を示したものである。ＬＣＤコントローラ２１０は集積回路（ＩＣ）デバイスであるのが好ましい。この４入力マルチプレクサに入力される一つの入力がPixel Data(画素データ)である。Pixel Dataは、通常、図１に示した典型的な液晶ディスプレイ（ＬＣＤ）コントローラ１１０の画素出力バスから出力される。図２では、このPixel Dataを含む４入力マルチプレクサ入力を示している。このマルチプレクサは、４つのデータ入力と２つの制御入力を有する。本発明を実際に実施する場合には、このようなマルチプレクサを３、４、・・・、Ｎ個、つまりカラー平面毎に一つのマルチプレクサを採用してよい。考えられる一例としては、赤、緑、青（Ｒ，Ｇ，Ｂ）の３つのカラー平面を採用することである。この場合には、各カラー平面Ｒ，Ｇ，Ｂに対して一つずつの、つまり３つのマルチプレクサが用いられる。
【００１３】
データ入力にはPixel Data２３０が含まれる。これは、一般のディスプレイコントローラから出力される通常の画素出力である。さらに、その次の入力は、ピクチャーフレームバックグラウンドカラーPicFrameBGColor２４０で、これは与えられた画素位置にバックグラウンドカラーを表示するために使用される。
【００１４】
その次のデータ入力は、ピクチャーフレームボーダーカラーPicFrameBorderColor２５０で、これは与えられた画素位置にフレームボーダーカラーを表示するために使用される。その次の入力は、ピクチャーフレームカラーPicFrameColor２６０で、これは与えられた画素位置にピクチャーフレームカラーを表示するために使用される。画素データ及びこれら３つのマルチプレクサ入力に入力される１や０の値は、ＬＣＤコントローラ２１０とデータをやり取りするディスプレイプロセッサによって決められる。
【００１５】
ＬＣＤコントローラ２１０とデータをやり取りするディスプレイプロセッサ５００がピクチャーフレーム位置パラメータを決定し、このピクチャー位置パラメータによって、所望のピクチャーフレームの境界が記述される。同様に、ＬＣＤコントローラ２１０とデータをやり取りするディスプレイプロセッサ５００は、所望のピクチャーフレームの表示を制御するピクチャーフレームカラー制御パラメータを決める。
【００１６】
図４に示すように、記憶レジスタ４１２（位置パラメータレジスタ）が現在のピクチャーフレーム位置パラメータを保持し、記憶レジスタ４１４（カラー制御パラメータレジスタ）が現在のピクチャーフレームカラー制御パラメータを保持する。これらパラメータは、ディスプレイのリフレッシュ操作の間に、ディスプレイプロセッサ５００からレジスタへロードされる。
【００１７】
レジスタ４１２に保持されているピクチャーフレーム位置パラメータ（又はそれらが表わすアドレス値）は、比較／制御ロジック４１６に送られる。比較／制御ロジック４１６は、個別部品、比較器、ソフトウェア、ファームウェア、又はそれらの組合せによって実現することができる。ピクチャーフレーム位置パラメータの機能を図３に示すと共に、その機能を以下に説明する。ピクチャーフレーム位置パラメータは、ピクチャーフレーム水平方向スタート１（PFHStart1）、ピクチャーフレーム水平方向スタート２（PFHStart2）、ピクチャーフレーム水平方向エンド１（PFHSEnd1）、ピクチャーフレーム水平方向エンド２（PFHSEnd2）を有する。ピクチャーフレームの垂直方向のスタート、ストップに対しても同じような４つのパラメータがある。さらに、水平方向画素合計（Htotal）及び垂直方向画素合計（Vtotal）パラメータがある。このピクチャーフレーム位置パラメータ（又はそれらが表わすアドレス値）は、現在リフレッシュされているディスプレイアドレス（REFRESH ADDRS）と比較される。比較／制御ロジック４１６の出力は符号化され、図２に示す２ビットのPixel Data Select（画素データセレクト）を生成する。この符号化を下記の表に示す。この表には４つの場合がある。２ビットコーディングが０、０の場合、通常の画素データが表示される。しかし、通常の画素データの表示が選択されるか、それともバックグラウンドカラーの表示が選択されるのかは、カラー制御パラメータレジスタ４１４（後述）を読んで決める。例えば、図３の色凡例（Color Legend）によれば、カラー制御パラメータレジスタ４１４のPicFill制御ビットが非アクティブかアクティブかによって、ピクチャーフレーム内に画素データが表示されるのか、バックグラウンドカラーが表示されるのかが選択される。同様に、２ビットコーディングが０、１の場合には、ピクチャーフレームバックグラウンドカラーがバックグラウンド領域に表示される。但し、ピクチャーフレームバックグラウンドカラーデータの表示が選択されるのか、画素データの表示が選択されるのかは、カラー制御パラメータレジスタ４１４を読んで決める。同様に、２ビットコーディングが１、０の場合には、ピクチャーフレームボーダーカラーが表示され、２ビットコーディングが１，１の場合には、ピクチャーフレームカラーがピクチャーフレーム領域内に表示される。但し、ピクチャーフレームカラーデータの表示が選択されているのか、画素データの表示が選択されているのかは、カラー制御パラメータレジスタ４１４を読んで決まる。
【００１８】
２つの制御入力、Pixel Data Select (1:0)は、マルチプレクサ２８０の上記４つのデータ入力２３０、２４０、２５０、２６０の一つを選択するように符号化される。この２つの制御ビットの考えられる符号化は次の通りである：
【００１９】
【表１】
2004318138.tif 000003
【００２０】
上記４つのマルチプレクサのデータ入力２３０、２４０、２５０、２６０に加えて、３つのプログラム可能な制御ビットが、一つ以上の書き込み可能なレジスタ４１４に保持される（図４）。この３つの制御ビットは、透過（Transparent）バックグラウンドビットと、透過フレームビットと、PicFillビットである。透過バックグラウンドビットは、比較／制御ロジック４１６で、PicFrameBGColor２４０マルチプレクサ入力を表示するのか画素データ２３０マルチプレクサ入力を表示するのかを選択するために使用される。透過バックグラウンドカラー制御ビットがアクティブの場合は、画素データがバックグラウンド領域に表示される。透過バックグラウンド制御ビットがアクティブでなければ、PicFrameBGColor２４０マルチプレクサ入力が選択され、バックグラウンド領域に表示される。
【００２１】
第２の制御ビットは透過フレームビットで、比較／制御ロジック４１６で、PicFrameColor２６０マルチプレクサ入力を表示するのか画素データ２３０マルチプレクサ入力を表示するのかを選択するために使用される。透過フレームカラー制御ビットがアクティブであれば、画素データがディスプレイのフレーム領域内に表示される。透過フレーム制御ビットがアクティブでなければ、ビデオPicFrameColor２６０マルチプレクサ入力が選択され、フレーム領域内に表示される。
【００２２】
第３の制御ビットはPicFillビットで、比較／制御ロジック４１６で、ピクチャーフレーム内に、PicFrameBackground Color２４０マルチプレクサ入力を表示するのか画素データ２３０マルチプレクサ入力を表示するのかを選択するために使用される。PicFill制御ビットがアクティブであれば、PicFrame Background Colorが選択表示される。PicFill制御ビットがアクティブでなければ、画素データが選択され、ピクチャーフレーム内に表示される。
【００２３】
図３に、本発明のピクチャーフレーム層を実現するのに必要なパラメータを示す。水平パラメータが４つある。PFH Start 1パラメータ３６１は、ピクチャーフレームの左側の一番外側のエッジのアドレスを表わす。PFH Start 2、つまり画面水平Start 2パラメータ３６２は、ピクチャーフレームの左側の一番内側のエッジのアドレスを表わす。
【００２４】
PFH End 1パラメータ３６３は、ピクチャーフレームの右側の一番内側のエッジのアドレスを表わす。PFH End 2、つまり画面水平End 2パラメータ３６４は、ピクチャーフレームの右側の一番外側のエッジのアドレスを表わす。
【００２５】
図３は、本発明のピクチャーフレームを実現するのに必要な４つの垂直パラメータも示している。PFV Start 1、つまり画面垂直Start 1パラメータ３７１は、ピクチャーフレームの上側の一番外側のエッジのアドレスを表わす。PFV Start 2、つまり画面垂直Start 2パラメータ３７２は、ピクチャーフレームの上側の一番内側のエッジのアドレスを表わす。
【００２６】
PFV End 1、つまりピクチャーフレーム垂直方向エンド１パラメータ３７３は、ピクチャーフレームの下側の一番内側のエッジのアドレスを表わす。PFV End 2、つまりピクチャーフレームの垂直方向エンド２パラメータ３７４は、ピクチャーフレームの下側の一番外側のエッジのアドレスを表わす。
【００２７】
垂直カウントパラメータ、Vcount３８１は、図３に示すように、現在表示されている画素の垂直方向のオフセットを示している。水平カウントータHcount３８２は、図３に示すように、現在表示されている画素の水平方向のオフセットを示す。図３のHtotalパラメータ３８３は、ディスプレイにおける全水平方向画素の最大水平方向画素アドレスを含んでいる。図３のVTOTALパラメータ３８４はディスプレイにおける全垂直方向画素の最大垂直方向画素アドレスを含んでいる。
【００２８】
これら１２のパラメータは、プログラム可能なレジスタ４１２（位置パラメータレジスタ４１２、図４）に保持される。これらのレジスタへロードすることで任意の大きさのピクチャーフレームをＬＣＤに表示することが出来る。希望するピクチャーフレームの色や属性は、ディスプレイの要求に合わせて変更することができる。上記１２のプログラム可能なレジスタにロードすることで、フレームサイズ、位置、色、厚み、透過性、一般的な属性等を修正することができる。
【産業上の利用可能性】
【００２９】
本発明の効果は、ピクチャーフレームを表示するのに、追加のディスプレイメモリを付加せずに済むことである。伝統的なディスプレイ設計では、ディスプレイの適切な位置にピクチャーフレームを重ねあわせ表示するには、ディスプレイメモリの別の面が必要となる。ピクチャーフレーム用のこの別の面によって、最悪の場合、ディスプレイメモリのサイズが２倍になることもある。
【００３０】
ビデオ出力マルチプロセッサ及びそれに対応する制御レジスタ及び回路を追加することで、追加ディスプレイメモリの必要がなくなる。
【００３１】
本発明をその好適な実施例において具体的に表示すると共に説明してきたが、当業者であれば、本発明の精神並びに範囲から逸脱することなく形状及び詳細を様々に変えられることを理解するだろう。
【図面の簡単な説明】
【００３２】
【図１】従来技術のディスプレイコントローラのブロック図。
【図２】本発明のマルチプレクサを示した図。
【図３】本発明を実施するのに必要なプログラム可能なディスプレイパラメータ。
【図４】本発明のディスプレイコントローラの更なる態様のブロック図。
【符号の説明】
【００３３】
１１０、２１０    ＬＣＤコントローラ
１２０    画素データ
２８０    マルチプレクサ
４１２、４１４    記憶レジスタ
４１６    比較/制御ロジック
５００    ディスプレイプロセッサ
【図１】
2004318138.tif 000004
【図２】
2004318138.tif 000005
【図３】
2004318138.tif 000006
【図４】
2004318138.tif 000007